(57)【要約】【課題】吐水具の引き出し及び押し込み操作をより円滑に行うことができる水栓を提供する。【解決手段】内管２０の基端部が固定された支持体２１は、その外周面の周溝２２ａに装着されたＯリング２４により、水栓本体に装着された基部１７に対し、その内周面から浮いた状態で弾性的に支持されている。支持体２１がＯリング２４を介して基部１７に支持されることにより、内管２０はその基端側を中心としてその先端側が基部１７及びホルダ１８の中心軸線を中心として径方向に自在に振れることができるようになっている。そして、フレキシブル管２７の基端が固定された摺動体２９が内管２０の先端側に移動すると、内管２０の中心軸線がホルダ１８の中心に修正される。【選択図】    図１
2005009199.tif 000002
【特許請求の範囲】
【請求項１】
水栓本体に装着されるとともに該水栓本体内の吐出流路が連通された基部と、
該基部に固定された外管と、
該外管の内側において前記基部に支持されるとともに前記吐出流路が連通される内管と、
該内管に対し水密状態で内管の中心軸線方向に摺動自在に外嵌された摺動体と、
一端に吐水具が接続されるとともに前記内管を内包する状態で他端が前記摺動体に固定された延出管とを備えた水栓であって、
前記内管は、その先端側が前記外管に対して径方向に変位可能なように、その基端部が前記基部に対し相対変位可能な状態で支持されていることを特徴とする水栓。
【請求項２】
前記基部内に配置されるとともに前記内管の基端部が基部の径方向中心で固定された支持部と、
該支持部と基部との間をシールするパッキンと、
前記支持部を基部から抜けないように保持する止め部材とを備え、
前記支持部が前記パッキンを介して基部に対して浮いた状態で弾性的に支持されることで、内管の基端部が基部に対して相対変位可能な状態で支持されていることを特徴とする請求項１に記載の水栓。
【請求項３】
前記支持部には、水栓本体から内管に供給される水の流量を制限する流量調節器が固定されていることを特徴とする請求項１又は請求項２に記載の水栓。
【発明の詳細な説明】
【０００１】
【発明の属する技術分野】
本発明は、シャワーヘッドなどの吐水具が、水栓本体から延出された外管から引き出し自在、及び、同外管に押し込み自在に設けられた水栓に関するものである。
【０００２】
【従来の技術】
この種の水栓として、本出願人は、図１２に示すように、水栓本体１２０から延出するホルダ１２１に、引き出し及び押し込み自在な吐水ヘッド１２２を備えたキッチン用水栓を開発した。このキッチン用水栓は、円筒状に形成されたホルダ１２１の内側に、水栓本体１２０内部の吐出流路１２３に連通された内管１２４を有している。内管１２４には、吐水ヘッド１２２に接続されたフレキシブル管１２５が摺動自在に装着されている。フレキシブル管１２５の下端には、内管１２４に対しパッキン１２６を介して摺接する環状の摺動体１２７が固定されている。そして、レバー１３０の操作によって水栓本体１２０から内管１２４に供給された水は、フレキシブル管１２５を通って吐水ヘッド１２２に供給される。また、吐水ヘッド１２２をホルダ１２１から引き出していくと、摺動体１２７が内管１２４に沿って移動するが、この際摺動体１２７が内管１２４及びフレキシブル管１２５との水密状態を維持する。このため、吐水ヘッド１２２を水栓本体１２０から引き出した状態で自由に使うことができる。
【０００３】
【発明が解決しようとする課題】
上記水栓の内管１２４は、図１２のＡ部拡大図に示すように、水栓本体１２０に装着された基部１２８の挿通孔１２９に対し螺合によって固定されていた。この場合、水栓に用いられる一般的な部品精度や組立精度では、内管１２４の先端側がホルダ１２１の中心軸線から径方向外側に偏った状態となることが避けられなかった。このため、吐水ヘッド１２２をホルダ１２１から引き出していくと、図１３に示すように、摺動体１２７が内管１２４の先端側に移動するにつれて摺動体１２７の外周面がホルダ１２１の内周面に強く押し付けられることになる。その結果、吐水ヘッド１２２を引き出したり、押し込んだりするときに必要な力が吐水ヘッド１２２の引き出し位置に応じて変化してしまうため、吐水ヘッド１２２の引き出し及び押し込みを円滑に行うことができないことがあった。場合によっては、摺動体１２７がホルダ１２１にかみこんでしまい、押し込むことができなくなることもあった。
【０００４】
本発明は、上記課題を解決するためになされたものであって、その目的は、吐水具の引き出し及び押し込み操作をより円滑に行うことができる水栓を提供することにある。
【０００５】
【課題を解決するための手段】
上記目的を達成するため、請求項１に記載の発明は、水栓本体に装着されるとともに該水栓本体内の吐出流路が連通された基部と、該基部に固定された外管と、該外管の内側において前記基部に支持されるとともに前記吐出流路が連通される内管と、該内管に対し水密状態で内管の中心軸線方向に摺動自在に外嵌された摺動体と、一端に吐水具が接続されるとともに前記内管を内包する状態で他端が前記摺動体に固定された延出管とを備えた水栓であって、前記内管は、その先端側が前記外管に対して径方向に変位可能なように、その基端部が前記基部に対し相対変位可能な状態で支持されていることを特徴とする。
【０００６】
請求項１に記載の発明によれば、内管の基端部が基部に対して相対変位可能な状態で支持され、内管の先端側が外管に対して径方向に変位可能であるので、内管の先端側に移動した摺動体が内管によって外管の内周面に押し付けられることがなく、外管との間に発生する摩擦抵抗がずっと小さくなる。このため、吐水具を外管から引き出していくとき、及び、外管に押し込んでいくときに必要な力が変化し難い。
【０００７】
請求項２に記載の発明は、請求項１に記載の発明において、前記基部内に配置されるとともに前記内管の基端部が基部の径方向中心で固定された支持部と、該支持部と基部との間をシールするパッキンと、前記支持部を基部から抜けないように保持する止め部材とを備え、前記支持部が前記パッキンを介して基部に対して浮いた状態で弾性的に支持されることで、内管の基端部が基部に対して相対変位可能な状態で支持されていることを特徴とするものである。
【０００８】
請求項２に記載の発明によれば、請求項１に記載の発明の作用に加えて、内管の基端部が固定される支持部と、支持部と基部及び外管との間をシールするパッキンと、支持部を基部内に保持する止め部材とからなる機構によって、内管の基端部が基部に支持される。従って、特殊な部品を用いることなく、簡単な構造で実施できる。
【０００９】
請求項３に記載の発明は、請求項１又は請求項２に記載の発明において、前記支持部には、水栓本体から内管に供給される水の流量を制限する流量調節器が固定されていることを特徴とするものである。ここで、「水」とは、冷水及び湯を含む。
【００１０】
請求項３に記載の発明によれば、請求項１又は請求項２に記載の発明の作用に加えて、基部の構造を複雑化することなく流量調節器を設けることができ、また、流量調節器の組み付けが容易となる。
【００１１】
【発明の実施の形態】
（第１実施形態）
以下、本発明を、キッチン用混合水栓に具体化した第１実施形態を図１〜図４に従って説明する。
【００１２】
図２に示すように、本実施形態の水栓としての混合水栓１０は、キッチンカウンターＫＣ上に取り付けられる周知の水栓本体１１を備え、この水栓本体１１の下側には給水管１２及び給湯管１３が接続されている。水栓本体１１は、レバーハンドル１４によって操作される図示しない弁機構を内部に備えている。弁機構は、給水管１２から供給される水と、給湯管１３から供給される湯とから、レバーハンドル１４の操作位置に応じた混合比及び流量の混合水（以下、単に水という。）を生成し、吐出流路１６から外部に供給する。
【００１３】
水栓本体１１には略円筒状の基部１７が回転自在に装着され、この基部１７の内側には吐出流路１６が連通されている。基部１７には、斜め上向きに延びる外管としてのホルダ１８が固定されている。ホルダ１８は基部１７と同一内径の円筒状に形成され、その先端には吐水具としての吐水ヘッド１９が支持されている。この吐水ヘッド１９は周知の吐水具であり、例えばシャワー流と直流との切換式である。
【００１４】
ホルダ１８の内側には円筒状の内管２０が配置され、内管２０の基端は、基部１７内に配置された支持体２１に対し基部１７の径方向中心で固定されている。図１に示すように、支持体２１は、吐水ヘッド１９側の大径部２２と、水栓本体側の小径部２３とからなる。大径部２２の外径は基部１７の内径よりもやや小さくされ、その外周面の周溝２２ａに装着されたパッキンとしてのＯリング２４により基部１７の内周面との間がシールされている。Ｏリング２４は、支持体２１を基部１７の内周面から浮かせた状態で弾性的に支持する。小径部２３の中心には挿通孔２５が貫通され、この挿通孔２５に対し内管２０が基部１７側に連通する状態で固定されている。支持体２１は、基部１７の周溝１７ａに装着された止め部材２６によって基部１７から抜けないように保持されている。そして、支持体２１がＯリング２４を介して基部１７に支持されることで、図４に示すように、内管２０は、その基端部を中心としてその先端側が基部１７及びホルダ１８の中心軸線Ｌを中心として径方向に自在に振れるようになっている。
【００１５】
図２に示すように、内管２０には、吐水ヘッド１９に接続された延出管としてのフレキシブル管２７が内管２０の中心軸線方向において摺動自在に装着されている。図１に示すように、フレキシブル管２７は、内側のゴムホース２８ａと、このゴムホース２８ａを覆う蛇腹管２８ｂとからなる。フレキシブル管２７の下端には、内管２０に対し水密状態で摺動する環状の摺動体２９が固定されている。
【００１６】
摺動体２９は、基部１７側の小径部３０と、吐水ヘッド１９側の大径部３１とからなる。小径部３０の中心に設けられた挿通孔３２には内管２０が挿通され、この挿通孔３２の内周面に設けられたリップパッキン３３によって内管２０と小径部３０との間がシールされている。大径部３１はホルダ１８の内径よりもやや小さい外径を有し、その吐水ヘッド１９側には、フレキシブル管２７を固定するための凹部３４が設けられている。この凹部３４には、フレキシブル管２７のゴムホース２８ａに外嵌された外側固定環３５が固定され、この外側固定環３５の内側においてゴムホース２８ａの内側に内側固定環３６が挿入されている。この外側固定環３５及び内側固定環３６によってゴムホース２８ａの下端が凹部３４内に固定されている。そして、凹部３４の内周面に設けられたＯリング３７により、外側固定環３５と凹部３４との間がシールされている。また、蛇腹管２８ｂは、外側固定環３５の吐水ヘッド１９側の端部に外嵌する止め部材３８によって外側固定環３５に固定されている。
【００１７】
摺動体２９は、基部１７及びホルダ１８内の空間を、支持体２１と摺動体２９との間に形成される第１環状室Ａと、摺動体２９の他方に形成される第２環状室Ｂとに区画している。前記第１環状室Ａは、基部１７に設けられた水抜き孔３９を通じて常時外気に連通されている。この水抜き孔３９は、ホルダ１８内に入った水を外部に排水する。また、水抜き孔３９は、摺動体２９が内管２０に沿って移動するときに、第１環状室Ａに発生する負圧又は正圧ができるだけ大きくならないように形成されている。
【００１８】
次に、以上のように構成された本実施形態の作用について説明する。
吐水ヘッド１９をホルダ１８から引き出していくと、摺動体２９が内管２０の基端側から先端側に移動していく。このとき、摺動体２９の移動に伴って増大する第１環状室Ａには、水抜き孔３９と、基部１７又はホルダ１８の内周面と摺動体２９との間の隙間を通じて空気が供給されるので、この空間が負圧になり難く、摺動体２９の移動に対する抵抗が発生し難い。このため、吐水ヘッド１９を円滑に引き出すことができる。反対に、吐水ヘッド１９を押し込むときには、第１環状室Ａから、水抜き孔３９と、基部１７又はホルダ１８の内周面と摺動体２９との間の隙間とを通じて空気が外気中に排気されるので、摺動体２９の移動に対する抵抗が発生し難い。このため、吐水ヘッド１９を円滑に押し込むことができる。
【００１９】
このとき、内管２０の下端を固定した支持体２１がＯリング２４により基部１７の内周面から浮いた状態で弾性的に支持されているので、内管２０はその基端側を中心としてその先端側がホルダ１８の中心軸線から径方向に自在に振れる。このため、内管２０の先端側に摺動体２９が移動すると、図３に示すように、内管２０の中心軸線がホルダ１８の中心に一致するようにその位置が修正されるので、内管２０によって摺動体２９がホルダ１８の内周面に強く押し付けられることがない。
【００２０】
次に、以上詳述した本実施形態が有する効果を列記する。
（１）  内管２０は、その先端側がホルダ１８に対して径方向に変位可能なように、Ｏリング２４によって基部１７の内周面から浮いた状態で弾性的に支持された支持体２１にその基端部が固定されている。このため、摺動体２９が内管２０の先端側に移動しても、ホルダ１８の内周面に強く押し付けられることがなく、ホルダ１８との間に大きな摩擦抵抗が発生することはない。従って、吐水ヘッド１９をホルダ１８から引き出していくとき、及び、ホルダ１８に押し込んでいくときに必要な力が変化し難く、引き出し及び押し込みをより円滑に行うことができる。
【００２１】
（２）  内管２０の基端部が基部１７の径方向中心で固定された支持体２１と、支持体２１と基部１７との間をシールするＯリング２４と、支持体２１を基部１７から抜けないように保持する止め部材２６とにより、支持体２１がＯリング２４を介して浮いた状態で弾性的に支持されるようにした。従って、特殊な部品を用いることなく、簡単な構造で実施できる。
【００２２】
（３）  可撓性を有するフレキシブル管２７を内管２０に装着したので、ホルダ１８から引き出した吐水ヘッド１９を、より自由な位置で、また、より自由な向きにして使用することができる。
【００２３】
（第２実施形態）
次に、本発明を具体化した第２実施形態を図５に従って説明する。尚、本実施形態は、前記第１実施形態の支持体２１を、支持体４０に代えたことと、この支持体４０にガバナ４５を設けたことのみが第１実施形態と異なるため、支持体４０及びガバナ４５のみについて詳述する。
【００２４】
図５に示すように、本実施形態の支持体４０は、水栓本体１１側の大径部４１と、吐水ヘッド１９側の小径部４２とからなる。大径部４１の外周面に設けられた周溝４１ａには、大径部４１と基部１７との間をシールするＯリング４３が設けられている。また、Ｏリング４３は、支持体４０を基部１７の内周面から浮かせた状態で弾性的に支持する。大径部４１の水栓本体１１側に設けられた凹部４４内には、流量調節器としての周知のガバナ４５が止め部材４６によって固定されている。ガバナ４５は、水栓本体１１から吐水ヘッド１９に供給される水の流量を所定値以下に制限する。小径部４２の中心には中心軸線方向に貫通する挿通孔４７が形成され、この挿通孔４７に対し内管２０が基部１７側に連通する状態で固定されている。支持体４０は、前記第１実施形態の支持体２１と同様、止め部材２６によって基部１７から抜けないように保持されている。そして、支持体４０がＯリング４３を介して基部１７に支持されることで、内管２０はその基端部を中心としてその先端側が基部１７及びホルダ１８の中心軸線Ｌを中心として径方向に自在に振れるようになっている。
【００２５】
以上のように構成された本実施形態によれば、レバーハンドル１４が操作されて、水栓本体１１から吐水ヘッド１９に多量の水を供給する状態となっても、支持体４０に固定されたガバナ４５によって、水栓本体１１から吐水ヘッド１９側に供給される水の最大流量が所定の流量以下に制限される。そして、吐水ヘッド１９に供給される水の流量が所定の流量以下に制限される。このため、吐水ヘッド１９側に過大な水圧が加わることがないので、水の圧力によって吐水ヘッド１９がホルダ１８から急激に飛び出すことがない。
【００２６】
以上のように構成された本実施形態は、前記第１実施形態の（１）〜（３）の各効果に加えて下記の効果を有する。
（４）  ホルダ１８を固定する前の基部１７に対し、予めガバナ４５を固定した支持体４０を組み付けることができるので、ガバナ４５を単独で組み付ける場合と異なり、ガバナ４５を保持するための構造を基部１７内に設ける必要がない。このため、基部１７の構造が複雑とならず、また、ガバナ４５の組み付けが容易となる。
【００２７】
（第３実施形態）
次に、本発明を具体化した第３実施形態を図６及び図７に従って説明する。尚、本実施形態は、前記第１実施形態の摺動体２９を摺動体５０に代えたことと、この摺動体５０にピストン５１を設けたことのみが異なるので、摺動体５０及びピストン５１のみについて詳述する。
【００２８】
図６に示すように、摺動体５０は略円柱状に形成され、その中心に設けられた挿通孔５２には内管２０が挿通されている。挿通孔５２の内周面に設けられたリップパッキン５３により、挿通孔５２と内管２０との間がシールされている。摺動体５０の吐水ヘッド１９側には、フレキシブル管２７を固定するための凹部５４が設けられている。この凹部５４には、第１実施形態と同様の外側固定環３５、内側固定環３６及び止め部材３８によってフレキシブル管２７の一端が固定されている。
【００２９】
また、摺動体５０には、凹部５４の底から外周側に向かって径方向に延びる流路５５が複数設けられている。各流路５５には、内管２０とフレキシブル管２７との間に形成されている水路を通じて水が供給される。各流路５５は、摺動体５０の外周面に開口する穴５６の底面にそれぞれ連通されている。各穴５６は円柱状に形成され、その内側には、流路５５を閉塞するとともに径方向に変位可能なピストン５１が配設されている。
【００３０】
図７に示すように、ピストン５１は、穴５６の内径よりも小径な胴部５７と、穴５６の内径とほぼ同径の頭部５８及び足部５９とを備え、頭部５８及び足部５９が穴５６の内周面に摺接する状態で径方向に変位する。胴部５７には、穴５６とピストン５１との間をシールするＯリング６０が装着されている。
【００３１】
以上のように構成された本実施形態には、次のような作用がある。
吐水ヘッド１９をホルダ１８から引き出していくと、第１環状室Ａに、水抜き孔３９と、基部１７又はホルダ１８の内周面と摺動体５０との間の隙間とを通じて空気が導入される。このため、第１環状室Ａが負圧になり難く、摺動体５０の移動に対し、負圧による抵抗が発生し難い。
【００３２】
水栓本体１１から水が供給されると、内管２０とフレキシブル管２７との間から各流路５５を通じて各穴５６に水が導入され、その圧力によって各ピストン５１が基部１７又はホルダ１８の内周面に押し付けられる。このため、各ピストン５１が受ける摩擦抵抗が摺動体５０の移動に対する抵抗となり、吐水ヘッド１９がホルダ１８から急激に押し出されることがない。なお、ピストン５１の数や外径を変更することで、水に対する受圧面積を調節し、摺動体５０が受ける抵抗力を変更することができる。この調節により、水圧が高く吐水ヘッド１９が押し出される力が強いときには抵抗も強くなり、水圧が低く吐水ヘッド１９が押し出される力が弱いときには抵抗も弱くなる。
【００３３】
以上詳述した本実施形態によれば、第１実施形態の（１）〜（３）に加えて下記の効果がある。
（５）  摺動体５０に設けた複数のピストン５１が水圧によって基部１７及びホルダ１８の内周面に押し付けられるので、吐水ヘッド１９がホルダ１８から急激に押し出されることがなくなり、吐水ヘッド１９を引き出すときの使い勝手が向上する。
【００３４】
（第４実施形態）
次に、本発明を具体化した第４実施形態を図８及び図９に従って説明する。尚、本実施形態は、前記第１実施形態の摺動体２９の大径部３１に周溝７０を設けたことと、この周溝７０内に割りリング７１及びＯリング７２を設けたことと、水抜き孔３９をなくしたことのみが異なるので、周溝７０、割りリング７１及びＯリング７２のみについて詳述する。
【００３５】
図８に示すように、本実施形態の摺動体２９には、その大径部３１の外周面に周溝７０が設けられ、この周溝７０内には、基部１７又はホルダ１８の内周面に当接する割りリング７１が設けられている。割りリング７１は、摺動体２９の移動に伴って基部１７及びホルダ１８の内周面に摺接する。割りリング７１は、図９に示すように、１箇所が切断された環状部材であって、基部１７及びホルダ１８内の空間を第１環状室Ａと第２環状室Ｂとに区画するとともに、区画した両環状室Ａ，Ｂ同士を、切れ目７１ａに形成される狭い流路を通じてのみ連通させる。割りリング７１と摺動体２９との間は、周溝７０の底面に設けられたＯリング７２によってシールされている。Ｏリング７２は、割りリング７１を拡開するように付勢し、割りリング７１の外周面を基部１７及びホルダ１８の内周面に押し付けている。
【００３６】
以上のように構成された本実施形態には、次のような作用がある。
吐水ヘッド１９をホルダ１８から引き出していくと、基部１７及びホルダ１８内で割りリング７１によって区画されている第２環状室Ｂから第１環状室Ａに、割りリング７１の狭い流路を通じて空気が移動する。このとき、第２環状室Ｂから第１環状室Ａに移動する空気の量が割りリング７１の流路によって制限されるので、第１環状室Ａが負圧となり、摺動体２９の移動に対する抵抗が発生する。このため、多量の水を供給するようにレバーハンドル１４が操作され、吐水ヘッド１９側に供給される水の圧力が過大になっても、吐水ヘッド１９が急激にホルダ１８から押し出されることがない。なお、基部１７に小さな水抜き孔を設けて、水抜き孔からの空気の流入量と割りリング７１の切れ目７１ａからの空気の流入量との合計にて空気の流入量を調節してもよい。
【００３７】
以上詳述した本実施形態には、第１実施形態の効果（１）〜（３）に加えて下記の効果がある。
（６）  摺動体２９に設けた割りリング７１によって摺動体２９が区画する両空間での空気の移動が制限されるので、吐水ヘッド１９がホルダ１８から急激に押し出されることがなくなり、引き出し時の使い勝手が向上する。
【００３８】
（第５実施形態）
次に、本発明を具体化した第５実施形態を図１０に従って説明する。尚、本実施形態は、前記第４実施形態の割りリング７１及びＯリング７２の代わりに、リップパッキン８０を設けたことと、基部１７に空気孔８１を設けたことのみが異なるので、リップパッキン８０及び空気孔８１についてのみ詳述する。
【００３９】
図１０に示すように、本実施形態では、摺動体２９の大径部３１に設けられた周溝８２内に、基部１７又はホルダ１８と、摺動体２９との間をシールするリップパッキン８０が設けられている。リップパッキン８０は、基部１７及びホルダ１８内の空間を、第１環状室Ａと第２環状室Ｂとに気密状態で区画し、摺動体２９の移動に伴って基部１７又はホルダ１８の内周面に摺接する。
【００４０】
また、基部１７には、摺動体２９によって区画された第１環状室Ａを外気に常時連通する空気孔８１が設けられている。この空気孔８１は第１実施形態の水抜き孔３９を兼ねている。空気孔８１は、摺動体２９が内管２０の基端側から先端側に移動するときに、第１環状室Ａに発生する負圧を一定程度まで大きくするようになっている。
【００４１】
以上のように構成された本実施形態には、次のような作用がある。
吐水ヘッド１９をホルダ１８から引き出していくと、基部１７及びホルダ１８内でリップパッキン８０によって気密状態で区画されている第１環状室Ａに、空気孔８１を通じて空気が導入される。このとき、空気孔８１によって、第１環状室Ａに導入される空気の量が制限されるので、第１環状室Ａが負圧となり、摺動体２９の移動に対する抵抗が発生する。このため、吐水ヘッド１９側に供給される水の圧力が過大になっても、吐水ヘッド１９が急激にホルダ１８から押し出されることがない。
【００４２】
以上詳述した本実施形態も、第３実施形態の（５）に記載した効果を有する。
（その他の実施形態）
次に、上記第１〜第５実施形態以外の実施形態を列記する。
【００４３】
・  前記第５実施形態で、図１１に示すように、リップパッキン８０に代えて、Ｏリング８３を設けた構成としても同じ効果がある。
・  各実施形態を、フレキシブル管２７の代わりに可撓性がない直管を用いた構成としてもよい。
【００４４】
・  各実施形態で、単独部材からなる支持体２１に代えて、内管２０の基端に一体に形成した支持部を設けた構成としてよい。
・  各実施形態で、断面円形の止め部材２６に代えて、略円筒状の止め部材を設けた構成としてもよい。
【００４５】
・  吐水ヘッド１９は、シャワー流のみのヘッド、あるいは、直流のみのヘッドであってもよい。
・  本発明の吐出機構を設けるキッチン用水栓は、キッチンカウンター上に取り付ける形式に限らず、壁面に取り付けるものであってもよい。
【００４６】
また、キッチン用水栓に限らず、洗面台用、風呂用水栓等であってもよい。
以下、前記各実施形態から把握される技術的思想をその効果とともに列記する。
【００４７】
（１）  請求項１〜請求項３のいずれか一項に記載の水栓において、前記延出管は、可撓性を有することを特徴とする水栓。
（２）  請求項１〜請求項３のいずれか一項に記載の水栓は、キッチン用混合水栓である。
【００４８】
【発明の効果】
請求項１〜請求項３に記載の発明によれば、水栓本体に装着された基部に対し、内管の先端側が径方向に変位可能にその基端が支持されるので、先端吐水具の引き出し及び押し込み操作をより円滑に行うことができる。
【図面の簡単な説明】
【図１】第１実施形態の水栓における要部を示す縦断面図。
【図２】混合水栓を示す一部縦断面を含む側面図。
【図３】混合水栓を示す一部縦断面を含む側面図。
【図４】基部及び内管を含む要部を示す縦断面図。
【図５】第２実施形態の水栓における要部を示す縦断面図。
【図６】第３実施形態の水栓における要部を示す縦断面図。
【図７】摺動体及びピストンを示す斜視図。
【図８】第４実施形態の水栓における要部を示す縦断面図。
【図９】割りリング及び摺動体を示す斜視図。
【図１０】第５実施形態の水栓における要部を示す縦断面図。
【図１１】他の実施形態の水栓における要部を示す縦断面図。
【図１２】従来の混合水栓を示す一部縦断面を含む側面図。
【図１３】同じく側面図。
【符号の説明】
１０…水栓としての混合水栓、１１…水栓本体、１６…吐出流路、１７…基部、１８…外管としてのホルダ、１９…吐水具としての吐水ヘッド、２０…内管、２１…支持体、２４…パッキンとしてのＯリング、２７…延出管としてのフレキシブル管、２６…止め部材、２９…摺動体、３８…止め部材、４０…支持体、４３…Ｏリング、４５…流量調節器としてのガバナ、４６…止め部材、５０…摺動体。
【図１】
2005009199.tif 000003
【図２】
2005009199.tif 000004
【図３】
2005009199.tif 000005
【図４】
2005009199.tif 000006
【図５】
2005009199.tif 000007
【図６】
2005009199.tif 000008
【図７】
2005009199.tif 000009
【図８】
2005009199.tif 000010
【図９】
2005009199.tif 000011
【図１０】
2005009199.tif 000012
【図１１】
2005009199.tif 000013
【図１２】
2005009199.tif 000014
【図１３】
2005009199.tif 000015